(57)【要約】分析デバイスは、１又は複数の分析デバイスと、前記分析デバイスを制御するコントローラとを備える分析システムにおける、前記分析デバイスである。当該分析デバイスは、前記コントローラとの間で通信を行なうための通信部と、前記通信部を介して前記コントローラから送信される電源オン状態とソフトウェア電源オフ状態とを切替える指示に基づいて、当該分析デバイスの電源オン状態とソフトウェア電源オフ状態とをソフトウェア的に切り替えるように構成された電源制御部と、を備えている。
2018189893.tif 000002
【特許請求の範囲】
【請求項１】
１又は複数の分析デバイスと、前記分析デバイスを制御するコントローラとを備える分析システムにおける、前記分析デバイスであって、
前記コントローラとの間で通信を行なうための通信部と、
前記通信部を介して前記コントローラから送信される電源オン状態とソフトウェア電源オフ状態とを切替える指示に基づいて、当該分析デバイスの電源オン状態とソフトウェア電源オフ状態とをソフトウェア的に切り替えるように構成された電源制御部と、を備えた分析デバイス。
【請求項２】
前記コントローラと当該分析デバイスとの間で通信が確立しているか否かを判断する通信状態確認部と、
当該分析デバイスの電源オン状態とソフトウェア電源オフ状態とをソフトウェア的に切り替えるユーザ操作に基づくユーザ電源指示が前記コントローラを介することなく入力される電源指示入力部と、
前記通信状態確認部により前記コントローラと当該分析デバイスとの間の通信が確立していると判断されているときに前記ユーザ電源指示を無効化し、前記通信状態確認部により前記コントローラと当該分析デバイスとの間の通信が確立していないと判断されたときは、前記ユーザ電源指示を有効化するように構成された有効・無効切替部をさらに備えている分析デバイス。
【請求項３】
発光部をさらに備え、
前記ユーザ電源指示が有効化されているときは前記発光部を点灯させ、前記ユーザ電源指示が無効化されているときは前記発光部を消灯させるように構成されている請求項２に記載の分析デバイス。
【請求項４】
当該分析デバイスにおけるエラーの発生を検知するエラー検知部をさらに備え、
前記有効・無効切替部は、前記エラー検知部がエラーを検知したときに前記ユーザ電源指示を有効化するように構成されている請求項２又は３に記載の分析デバイス。
【請求項５】
前記有効・無効切替部は、前記エラー検知部が検知したエラーが所定の重度のエラーであるときは前記ユーザ電源指示を無効化するように構成されている請求項４に記載の分析デバイス。
【請求項６】
１又は複数の分析デバイスと、前記分析デバイスを制御するコントローラとを備える分析システムにおける、前記コントローラであって、
前記分析デバイスとの間で通信を行なうための通信部と、
当該コントローラが電源オン状態にされたときに、前記通信部を介して当該コントローラとの間で通信が確立している前記分析デバイスに対し当該分析デバイスを電源オン状態に切替える指示を送信し、前記コントローラが電源オフ状態にされたときに、前記通信部を介して当該コントローラと通信が確立している前記分析デバイスに対して、前記分析デバイスをソフトウェア電源オフ状態に切替える指示を送信する電源指示送信部とを備える、コントローラ。
【請求項７】
請求項１から５のいずれか一項に記載の分析デバイスと、
請求項６に記載のコントローラと、を備えた分析システム。
【発明の詳細な説明】
【技術分野】
【０００１】
本発明は、分析デバイス、コントローラ及びその分析デバイスとコントローラで構成される分析システムに関する。
【背景技術】
【０００２】
例えば、液体クロマトグラフは主に、オートサンプラ、ポンプ、オーブン、検出器といったモジュールと、それらのモジュールを統合して制御するコントローラからなる。コントローラは大きな機構をもたないため、他のモジュールの内部に格納されることもある。このように、複数のモジュールとコントローラが組み合わされることによって、１つの分析システムが構成されている。【０００３】
このような分析システムを構成する各モジュールとして、電源の起動・シャットダウンをソフトウェア的に行なう機能を独自にもつもの（以下、これを分析デバイスと称する。）が用いられる場合がある（特許文献１参照。）。このような分析デバイスは、単体で使用したり他の分析システムに組み込んで使用したりすることができる。
【先行技術文献】
【特許文献】
【０００４】
【特許文献１】特開２０１６−８０４６６号公報
【発明の概要】
【発明が解決しようとする課題】
【０００５】
独自に電源機能をもつ分析デバイスとコントローラによって分析システムが構築されている場合、分析システム全体を起動させたりシャットダウンさせたりするためには、コントローラとは別にその分析システムに組み込まれている分析デバイスの電源を起動させたりシャットダウンさせたりする必要があった。そのため、分析システムに組み込まれている分析デバイスの数が多ければ多いほど、分析システム全体の起動やシャットダウン時の操作が煩雑なものとなっていた。【０００６】
そこで、本発明は、１又は複数の分析デバイスとコントローラによって構成される分析システムの電源管理の利便性を向上させることを目的とするものである。
【課題を解決するための手段】
【０００７】
本発明に係る分析デバイスは、１又は複数の分析デバイスと、前記分析デバイスを制御するコントローラとを備える分析システムにおける、前記分析デバイスである。当該分析デバイスは、前記コントローラとの間で通信を行なうための通信部と、前記通信部を介して前記コントローラから送信される電源オン状態とソフトウェア電源オフ状態とを切替える指示に基づいて、当該分析デバイスの電源オン状態とソフトウェア電源オフ状態とをソフトウェア的に切り替えるように構成された電源制御部と、を備えている。【０００８】
すなわち、本発明に係る分析デバイスは、分析デバイスとコントローラとの間の通信が確立しているとき、すなわち分析デバイスが分析システムに組み込まれているときには、そのコントローラによって分析デバイスの電源オン状態とソフトウェア電源オフ状態の切替えを行なうことができるように構成されている。【０００９】
本発明において、分析デバイスを「ソフトウェア電源オフ状態」にすることは、分析デバイスの主電源をオフにすることとは異なる概念である。「ソフトウェア電源オフ状態」とは、主電源はオンの状態であるが、その分析デバイスにおいて電力を消費する部分（以下、動作部という。）の一部又はすべてを停止させ、その分析デバイスにおける消費電力を抑制した状態をいう。本明細書中においては、分析デバイスを電源オン状態にすることを「起動する」、分析デバイスをソフトウェア電源オフ状態にすることを「シャットダウンする」ともいう。【００１０】
本発明の分析デバイスは、当該分析デバイスの電源オン状態とソフトウェア電源オフ状態とをソフトウェア的に切り替えるユーザ操作に基づくユーザ電源指示がコントローラを介することなく入力される電源指示入力部を独自に備えていてもよい。電源指示入力部とは、例えば、ユーザが押下することによって分析デバイスを電源オン状態又はソフトウェア電源オフ状態に切り替えるための電源ボタンや、そのリモコンから送信される信号を受信するための受信部など、コントローラを介さずにユーザによってなされた電源指示を入力するものである。このような電源指示入力部を分析デバイスが独自に備えていると、分析システムの動作中にユーザが誤って一部の分析デバイスのみをシャットダウンさせてしまうという事態も起こり得る。【００１１】
そこで、本発明の分析デバイスでは、前記コントローラと当該分析デバイスとの間で通信が確立しているか否かを判断する通信状態確認部と、前記通信状態確認部により前記コントローラと当該分析デバイスとの間の通信が確立していると判断されているときに前記ユーザ電源指示を無効化し、前記通信状態確認部により前記コントローラと当該分析デバイスとの間の通信が確立していないと判断されたときは前記ユーザ電源指示を有効化するように構成された有効・無効切替部をさらに備えていることが好ましい。そうすれば、分析デバイスとコントローラとの間の通信が確立しているときには、ユーザ操作による分析デバイス単体への電源指示が無効となるため、ユーザがその分析デバイスのみをシャットダウンすることができなくなる。【００１２】
上記の場合、分析デバイスは発光部をさらに備え、前記ユーザ電源指示が有効化されているときは前記発光部を点灯させ、前記ユーザ電源指示が無効化されているときは前記発光部を消灯させるように構成されていることが好ましい。そうすれば、発光部の点灯状態によって、ユーザ操作による分析デバイス単体への電源指示が有効であるか無効であるかを視覚的に認識することができる。【００１３】
また、単体で使用可能な分析デバイスは、自身におけるエラーの発生を検知するエラー検知部を備えている場合が多い。分析システムを構成する一部の分析デバイスでエラーが発生した場合、エラーの検知された分析デバイスからのエラー信号を受けてコントローラが分析システムにエラーがあることを認識し、通常は、分析システム全体の動作を停止させることになる。このような場合、エラーの発生した分析デバイス以外の分析デバイスによって分析動作を続行することができるような場合もあるが、分析システムのネットワーク上にエラーを発する分析デバイスが存在するため、分析システムとして動作を続行することができない。また、エラーの種類によってはその分析デバイスを再起動（一時的にソフトウェア電源オフ状態にしてから再度起動すること）すれば回復可能なものもあるが、本発明では、コントローラとの間の通信が確立されている分析デバイスの電源オン状態・ソフトウェア電源オフ状態の切替えはコントローラによって一元的に管理されている。そのため、エラーの発生した分析デバイスを再起動させたい場合には、コントローラによって分析システム全体を再起動させなければならなくなるという事態が生じる。【００１４】
そこで、本発明の好ましい実施形態では、前記有効・無効切替部が、前記エラー検知部がエラーを検知したときにユーザ電源指示を有効化するように構成されている。そうすれば、分析デバイスが分析システムに組み込まれていても、その分析デバイスにおいてエラーが発生したときには、ユーザ操作による分析デバイス単体への電源指示が有効となるため、エラーの発生した分析デバイスをシャットダウンさせたり再起動させたりすることができる。【００１５】
さらに、前記有効・無効切替部は、前記エラー検知部が検知したエラーが所定の重度のエラーであるときはユーザ電源指示を無効化するように構成されていてもよい。ここでの「重度のエラー」とは、その分析デバイスの再起動によっては回復しないようなエラーをいう。そのような場合に電源指示入力部に入力されるユーザ操作に基づく指示を無効化することで、ユーザにその分析デバイスの主電源を切ることを促すことができる。【００１６】
本発明に係るコントローラは、１又は複数の分析デバイスと、前記分析デバイスを制御するコントローラとを備える分析システムにおける、前記コントローラである。当該コントローラは、前記分析デバイスとの間で通信を行なうための通信部と、当該コントローラが電源オン状態にされたときに、前記通信部を介して当該コントローラとの間で通信が確立している前記分析デバイスに対し当該分析デバイスを電源オン状態に切替える指示を送信し、前記コントローラが電源オフ状態にされたときに、前記通信部を介して当該コントローラと通信が確立している前記分析デバイスに対して、前記分析デバイスをソフトウェア電源オフ状態に切替える指示を送信する電源指示送信部とを備えている。【００１７】
本発明に係る分析システムは、上述の分析デバイスとコントローラとを備えたものである。その場合、分析デバイスを複数備えていてもよい。従来では、分析システムを構成する分析デバイスの数が多いほど電源管理が煩雑なものとなっていたが、本発明ではコントローラによって一元的にシステム全体の電源管理を行なうことができるため、分析デバイスの数がいくつであってもよい。
【発明の効果】
【００１８】
本発明に係る分析デバイスは、分析デバイスとコントローラとの間の通信が確立しているときはそのコントローラからの信号によっても分析デバイスの電源オン状態とソフトウェア電源オフ状態の切替えを行なうことができるので、分析システムを構成している分析デバイスの電源管理をコントローラを介して一元的に行なうことができ、分析システム全体の電源管理の利便性が向上する。【００１９】
本発明に係るコントローラは、当該コントローラが電源オン状態にされたときに、前記通信部を介して当該コントローラとの間で通信が確立している前記分析デバイスに対し当該分析デバイスを電源オン状態に切替える指示を送信し、前記コントローラが電源オフ状態にされたときに、前記通信部を介して当該コントローラと通信が確立している前記分析デバイスに対して、前記分析デバイスをソフトウェア電源オフ状態に切替える指示を送信する電源指示送信部を備えているので、当該コントローラとの間で通信が確立している分析デバイスの電源管理を当該コントローラを介して一元的に行なうことができる。【００２０】
本発明に係る分析システムは、上記の分析デバイスの電源オン状態とソフトウェア電源オフ状態の切替えをコントローラによって一元的に制御することができるので、分析システム全体の電源管理が容易である。
【図面の簡単な説明】
【００２１】
【図１】分析システムの一実施例を概略的に示すブロック図である。
【図２】同実施例のコントローラ及び分析デバイスの構成を示すブロック図である。
【図３】同実施例の分析デバイスのソフトウェア電源ボタン機能の制御を示すフローチャートである。
【図４】同実施例の分析システム起動時の動作を示すフローチャートである。
【図５】同実施例の分析システム終了時の動作を示すフローチャートである。
【図６】同実施例の分析デバイスにおいてエラーが発生したときの動作を示すフローチャートである。
【発明を実施するための形態】
【００２２】
以下、本発明に係る分析デバイス及び分析システムの一実施例について、図面を参照しながら説明する。
【００２３】
分析システムの概略的構成について、図１を用いて説明する。
【００２４】
この実施例の分析システム１は、複数の分析デバイス２、コントローラ４及び演算処理装置６を備えている。各分析デバイス２はコントローラ４と電気的に接続され、コントローラ４との間で電気的な通信を行なうことができる。演算処理装置６はコントローラ４と電気的に接続されており、コントローラ４との間で電気的な通信を行なうことができる。
【００２５】
コントローラ４は、各分析デバイス２の状態や動作を一元的に管理するためのものであり、例えばシステムコントローラのような専用のコンピュータ又はパーソナルコンピュータのような汎用のコンピュータによって実現される。演算処理装置６は、ユーザによって入力された分析条件等の情報に基づいてコントローラ４を介して分析システム１全体の動作管理を行なう機能のほか、分析によって得られた分析データに基づいて種々の演算処理を行なう機能を有するものである。演算処理装置６は、専用のコンピュータ又は汎用のパーソナルコンピュータによって実現される。
【００２６】
なお、この実施例では、コントローラ４と演算処理装置６が別々の要素として記載されているが、演算制御装置６がコントローラ４の機能を兼ね備えるなどしてコントローラ４と演算制御装置６が単一の要素となっていてもよい。
【００２７】
次に、分析デバイス２及びコントローラ４の構成の一例について、図２を用いて説明する。なお、図２では１つの分析デバイス２のみを示している。
【００２８】
分析デバイス２とコントローラ４はそれぞれ互いに通信を行なうための通信部２ａと４ａを備えており、互いの通信部２ａ及び４ａが通信ケーブル又は無線の通信手段によって電気的に接続されている。分析デバイス２の通信部２ａには制御部１４が接続され、コントローラ４の通信部４ａには制御部３０がされており、制御部１４と制御部３０との間で信号の送受信がなされるようになっている。制御部１４と制御部３０は、マイクロコンピュータなどの演算素子を有する電子回路によって実現される。
【００２９】
コントローラ４には、制御部３０のほかに、電源部２６、表示部２８及びソフトウェア電源ボタン３２が設けられている。ソフトウェア電源ボタン３２は、ユーザが押下することによってコントローラ４を電源オン状態にしたりソフトウェア電源オフ状態にしたりするためのものである。電源部２６は表示部２８や制御部３０へ電力を供給するものである。
【００３０】
以下において、分析デバイス２やコントローラ４を電源オン状態にすることを「起動する」、ソフトウェア電源オフ状態にすることを「シャットダウンする」ともいう。
【００３１】
コントローラ４の起動・シャットダウンは、コントローラ４と接続された演算処理装置６（図１を参照。）によって制御できるようになっていてもよい。
【００３２】
コントローラ４の制御部３０は電源指示送信部３１を備えている。電源指示送信部３１は、コントローラ４が起動したときにコントローラ４との間で通信が確立している分析デバイス２に対して起動指示を送信し、コントローラ４がシャットダウンしたときにコントローラ４の間で通信が確立している分析デバイス２に対してシャットダウン指示を送信する。
【００３３】
分析デバイス２は、制御部１４のほかに、電源部８、動作部１２、及びソフトウェア電源ボタン２２を備えている。ソフトウェア電源ボタン２２は発光部としての発光ダイオード（ＬＥＤ）２４を備えている。電源部８は動作部１２、制御部１４、及びＬＥＤ２４に対して必要な電力を供給するものである。電源部８は主電源スイッチ１０を備えており、ユーザが主電源スイッチ１０を切ることで、電源部８から動作部１２、制御部１４、及びＬＥＤ２４に対するすべての電力供給が遮断される。
【００３４】
動作部１２は分析デバイス２において電力を消費する主な部分である。例えば、分析デバイス２が液体クロマトグラフ用のオートサンプラである場合には、ロータリー式の切替バルブを切り替えるためのモータや、サンプリング用のニードルを移動させるためのモータ、液の吸入や吐出を行なうポンプを駆動するためのモータなどが動作部１２として挙げられる。また、分析デバイス２が液体クロマトグラフの分析カラムの温度調節を行なうためのカラムオーブンである場合には、ヒータやファンなどが動作部１２として挙げられる。
【００３５】
ソフトウェア電源ボタン２２は電源部８の主電源スイッチ１０とは別に設けられた電源スイッチであり、ユーザが押下することによって分析デバイス２を電源オン状態とソフトウェア電源オフ状態のいずれかの状態に切り替えるためのものである。ソフトウェア電源オフ状態とは、主電源スイッチ１０はオンになっているが、動作部１２の稼働を停止させて分析デバイス２における消費電力を低く抑制する状態である。
【００３６】
ソフトウェア電源ボタン２２は、分析デバイス２を電源オン状態又はソフトウェア電源オフ状態に切り替えるユーザ操作に基づく指示（以下、これをユーザ電源指示という。）が、コントローラ４を介することなく入力される電源指示入力部を実現するものである。この実施例では、ユーザがソフトウェア電源ボタン２２を押下することがユーザ操作に相当する。
【００３７】
後述するが、分析デバイス２が分析システム１内に組み込まれていないような場合には、ユーザ電源指示が有効になり、ユーザがソフトウェア電源ボタン２２を押下することによって分析デバイス２を起動させたりシャットダウンさせたりすることができる。すなわち、ユーザ電源指示が有効な場合、ユーザによってソフトウェア電源ボタン２２が押下されると、その旨の信号が制御部１４に取り込まれ、その信号に基づいて制御部１４が分析デバイス２を起動させたりシャットダウンさせたりするようになっている。
【００３８】
制御部１４が分析デバイス２をシャットダウンさせる方法としては、動作部１２の動作を停止させて動作部１２における消費電力を抑制する方法と、図において破線で示されているように、電源部８を制御して電源部８から動作部１２への供給電力を抑制する方法と、が挙げられ、本発明ではいずれの方法を採用してもよい。
【００３９】
制御部１４は、コントローラ４からの命令信号に従って動作部１２の動作を制御するように構成されている。制御部１４はさらに、通信状態確認部１６、電源制御部１８、有効・無効切替部１９、及びエラー検知部２０を備えている。通信状態確認部１６、電源制御部１８、有効・無効切替部１９及びエラー検知部２０は、制御部１４を構成する演算素子がプログラムを実行することによって得られる機能である。
【００４０】
通信状態確認部１６は、コントローラ４との間の通信が確立しているか否かを一定時間ごとに確認するように構成されている。通信状態は、例えば分析デバイス２の制御部１４からコントローラ４の制御部３０へ一定時間ごとに信号を送信し、制御部３０から応答信号が返ってくるか否かによって確認することができる。また、コントローラ４の制御部３０が一定時間ごとに信号を送信し、制御部１４がその信号を受信しているか否かによっても確認することができる。
【００４１】
電源制御部１８は、ユーザ電源指示が有効なときはソフトウェア電源ボタン２２で生成される信号に基づいて、分析デバイス２とコントローラ４との間の通信が確立しているときには、コントローラ４からの起動・シャットダウンの指示に基づいて、分析デバイス２を起動又はシャットダウンさせるように構成されている。ユーザ電源指示が有効か無効を切り替えるのは有効・無効切替部１９である。
【００４２】
有効・無効切替部１９は、分析デバイス２においてエラーが発生した場合を除き、通信状態確認部１６によってコントローラ４との間の通信が確立していることが確認されたときはユーザ電源指示を無効化し、通信状態確認部１６によってコントローラ４との間の通信が確立していることが確認されないときはユーザ電源指示を有効化するように構成されている。
【００４３】
有効・無効切替部１９は、ユーザ電源指示が有効化されているときはＬＥＤ２４を点灯させ、ユーザ電源指示が無効化されているときはＬＥＤ２４を消灯させるように構成されている。これにより、ユーザ電源指示が有効となっているか無効となっているかを、ユーザが視覚的に容易に認識することができる。
【００４４】
エラー検知部２０は、分析デバイス２におけるエラーの発生を検知し、エラー信号を生成するように構成されている。エラー検知部２０により生成されたエラー信号はコントローラ４の制御部３０にも取り込まれるようになっており、ユーザはコントローラ４側でどの分析デバイス２においてエラーが発生しているかを認識することができる。
【００４５】
有効・無効切替部１９は、分析デバイス２とコントローラ４との間の通信が確立している状態でエラー検知部２０がエラーを検知した場合、そのエラーが重度のエラー（フェイタルエラーともいう。）である場合を除いて、ユーザ電源指示を有効化するように構成されている。ユーザ電源指示を有効化することで、ユーザがエラーの発生した分析デバイス２のソフトウェア電源ボタン２２を押下することによって、エラーの発生した分析デバイス２のみをシャットダウンさせたり再起動させたりすることができる。ユーザ電源指示を有効化させるときはＬＥＤ２４に電力を供給してそのソフトウェア電源ボタン２２を点灯させ、ユーザにソフトウェア電源ボタン２２を押下することによるユーザ電源指示が有効であることを認識させる。
【００４６】
有効・無効切替部１９は、分析デバイス２で発生したエラーがフェイタルエラーである場合、ユーザ電源指示を無効にするように構成されている。ユーザは、コントローラ４（若しくは演算処理装置６（図１を参照。））を介してエラーが発生している分析デバイス２を知ることができるので、エラーの発生している分析デバイス２をシャットダウンさせることを考える。しかし、フェイタルエラーの場合はユーザ電源指示が無効となるため、ソフトウェア電源ボタン２２の押下によってその分析デバイス２をシャットダウンさせることが不可能となる。これにより、ユーザに対して主電源スイッチ１０による分析デバイス２の強制終了を促すことができる。
【００４７】
以上において説明した機能による分析システム１の動作について、図２とともに図３、図４及び図５のフローチャートを用いて説明する。
【００４８】
図３に示されているように、分析デバイス２では、制御部１４の通信状態確認部１６がコントローラ４との間の通信状態を一定時間ごとに確認し（ステップＳ１）、通信が確立している場合には、有効・無効切替部１９がユーザ電源指示を無効化し（ステップＳ２、Ｓ３）、ＬＥＤ２４を消灯させる（ステップＳ４）。コントローラ４との間の通信状態が確立されていない場合は、有効・無効切替部１９がユーザ電源指示を有効化し（ステップＳ２、Ｓ５）、ＬＥＤ２４を点灯させる（ステップＳ６）。
【００４９】
分析デバイス２が分析システム１に組み込まれてコントローラ４との間の通信が確立されている状態では、図４に示されているように、コントローラ４を起動させると起動指示がコントローラ４から分析デバイス２へ送信される（ステップＳ１１）。起動指示を受けた分析デバイス２の電源制御部１８はその起動指示に基づいて分析デバイス２を起動させ（ステップＳ１２）、その分析デバイス２が電源オン状態となる（ステップＳ１２）。
【００５０】
逆に、図５に示されているように、コントローラ４をシャットダウンさせると、制御部３０の電源指示送信部３１は分析デバイス２に対してシャットダウン指示を送信し（ステップＳ２１）、自身はソフトウェア電源オフ状態となる（ステップＳ２２）。シャットダウン指示を受けた分析デバイス２の電源制御部１８はその分析デバイス２をシャットダウンさせ（ステップＳ２３）、その分析デバイス２はソフトウェア電源オフ状態となる（ステップＳ２４）。
【００５１】
上記の機能によって、分析デバイス２が分析システム１に組み込まれているときには、ユーザがソフトウェア電源ボタン２２を押下しても、その分析デバイス２のみを起動させたりシャットダウンさせたりすることができなくなり、コントローラ４の起動・シャットダウンに連動して分析デバイス２が起動・シャットダウンを行なうようになる。これにより、ユーザはコントローラ４を介して分析システム１全体の電源管理を一元的に行なうことができる。
【００５２】
また、図６に示されているように、ある分析デバイス２のエラー検知部２０がエラーを検知したときは、その分析デバイス２からコントローラ４に対してエラー信号が送信される（ステップＳ３１）。エラー信号を受けたコントローラ４は分析システムの動作を停止させ（ステップＳ３２）、表示部２８やコントローラ４に接続されている演算処理装置６（図１を参照。）の表示部（図示は省略）にエラーの検知された分析デバイス２を表示させる（ステップＳ３３）。
【００５３】
エラーの検知された分析デバイス２ではそのエラーが所定のフェイタルエラーであるか否かが判断される（ステップＳ３４）。フェイタルエラーであるか否かは、例えば分析デバイス２の制御部１４内にフェイタルエラーリストが用意されており、検知されたエラーがそのフェイタルエラーリスト内にあるか否かによって判断することができる。
【００５４】
そのエラーがフェイタルエラーである場合、有効・無効切替部１９は、その分析デバイス２に対するユーザ電源指示を無効にしてＬＥＤ２４を消灯させ（ステップＳ３５）、ユーザにその分析デバイス２の主電源スイッチ１０による強制終了を行なうように促す。他方、エラーがフェイタルエラーでない場合、有効・無効切替部１９は、その分析デバイス２に対するユーザ電源指示を有効にしてＬＥＤ２４を点灯させ（ステップＳ３６、Ｓ３７）、ユーザにその分析デバイス２のソフトウェア電源ボタン２２を押下することによってシャットダウン又は再起動をするように促す。
【符号の説明】
【００５５】
１      分析システム
２      分析デバイス
２ａ，４ａ      通信部
４      コントローラ
６      演算処理装置
８，２６      電源部
１０      主電源スイッチ
１２      動作部
１４      制御部
１６      通信状態確認部
１８      電源制御部
１９      有効・無効切替部
２０      エラー検知部
２２，３２      ソフトウェア電源ボタン（電源指示入力部）
２４      ＬＥＤ
２８      表示部
【図１】
2018189893.tif 000003
【図２】
2018189893.tif 000004
【図３】
2018189893.tif 000005
【図４】
2018189893.tif 000006
【図５】
2018189893.tif 000007
【図６】
2018189893.tif 000008
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
１又は複数の分析デバイスと、前記分析デバイスを制御するコントローラとを備える分析システムにおける、前記分析デバイスであって、
前記コントローラとの間で通信を行なうための通信部と、
前記通信部を介して前記コントローラから送信される電源オン状態とソフトウェア電源オフ状態とを切替える指示に基づいて、当該分析デバイスの電源オン状態とソフトウェア電源オフ状態とをソフトウェア的に切り替えるように構成された電源制御部と、を備えた分析デバイス。
【請求項２】
前記コントローラと当該分析デバイスとの間で通信が確立しているか否かを判断する通信状態確認部と、
当該分析デバイスの電源オン状態とソフトウェア電源オフ状態とをソフトウェア的に切り替えるユーザ操作に基づくユーザ電源指示が前記コントローラを介することなく入力される電源指示入力部と、
前記通信状態確認部により前記コントローラと当該分析デバイスとの間の通信が確立していると判断されているときに前記ユーザ電源指示を無効化し、前記通信状態確認部により前記コントローラと当該分析デバイスとの間の通信が確立していないと判断されたときは、前記ユーザ電源指示を有効化するように構成された有効・無効切替部をさらに備えている請求項１に記載の分析デバイス。
【請求項３】
発光部をさらに備え、
前記ユーザ電源指示が有効化されているときは前記発光部を点灯させ、前記ユーザ電源指示が無効化されているときは前記発光部を消灯させるように構成されている請求項２に記載の分析デバイス。
【請求項４】
当該分析デバイスにおけるエラーの発生を検知するエラー検知部をさらに備え、
前記有効・無効切替部は、前記エラー検知部がエラーを検知したときに前記ユーザ電源指示を有効化するように構成されている請求項２又は３に記載の分析デバイス。
【請求項５】
前記有効・無効切替部は、前記エラー検知部が検知したエラーが所定の重度のエラーであるときは前記ユーザ電源指示を無効化するように構成されている請求項４に記載の分析デバイス。
【請求項６】
前記コントローラの起動に連動して前記分析デバイスが起動を行ない、前記コントローラのシャットダウンに連動して前記分析デバイスがシャットダウンを行なう、請求項１から５のいずれか一項に記載の分析デバイス。
【請求項７】
１又は複数の分析デバイスと、前記分析デバイスを制御するコントローラとを備える分析システムにおける、前記コントローラであって、
前記分析デバイスとの間で通信を行なうための通信部と、
当該コントローラが電源オン状態にされたときに、前記通信部を介して当該コントローラとの間で通信が確立している前記分析デバイスに対し当該分析デバイスを電源オン状態に切替える指示を送信し、前記コントローラが電源オフ状態にされたときに、前記通信部を介して当該コントローラと通信が確立している前記分析デバイスに対して、前記分析デバイスをソフトウェア電源オフ状態に切替える指示を送信する電源指示送信部とを備える、コントローラ。
【請求項８】
請求項１から６のいずれか一項に記載の分析デバイスと、
請求項７に記載のコントローラと、を備えた分析システム。
【国際調査報告】
2018189893.tif 000009
2018189893.tif 000010
2018189893.tif 000011
2018189893.tif 000012